(57)【要約】【課題】通信用アンテナを介した外部との通信に頼ることなく車両のセキュリティ性を維持することができる車両盗難防止装置を提供する。【解決手段】車両盗難防止装置４は、癖検知部３０、機能低下部６０、癖認識部９０、及びセキュリティＥＣＵ１００を備えている。癖認識部９０には、車両３の正規ユーザの癖情報が書き込まれている。セキュリティＥＣＵ１００は、癖検知部３０から入力される各種信号に基づいて運転者の癖を検知し、検知結果に基づいて運転者の癖情報を作成する。そして、セキュリティＥＣＵ１００は、作成した運転者の癖情報と癖認識部９０に書き込まれている正規ユーザの癖情報とを比較し、その比較結果に応じて車両３を運転している運転者が車両３の正規ユーザか否かを照合する。そして、セキュリティＥＣＵ１００は、運転者が車両３の正規ユーザでない場合には、機能低下部６０によって車両３の機能を低下させる。【選択図】      図１
2006199192.tif 000002
【特許請求の範囲】
【請求項１】
車両に配置されたセンサにより該車両の運転者の癖を検知した癖情報を生成する癖検知手段と、
前記車両の正規ユーザの癖情報が予め記憶された記憶手段と、
前記癖検知手段にて生成された前記運転者の癖情報と前記記憶手段に記憶された前記正規ユーザの癖情報とを比較し、その比較結果に応じて前記車両が盗難されたか否かを判断する判断手段と、
前記判断手段によって前記車両が盗難されたと判断された場合に、前記車両の機能を低下させる機能低下手段と
を備えたことを特徴とする車両盗難防止装置。
【請求項２】
請求項１に記載の車両盗難防止装置において、
前記癖検知手段は、前記運転者の癖情報を複数生成し、
前記記憶手段には、前記正規ユーザの癖情報が複数記憶されており、
前記判断手段は、前記癖検知手段にて生成された前記運転者の癖情報と前記記憶手段に記憶された前記正規ユーザの癖情報とを比較し、少なくとも２つが一致しない場合に前記車両が盗難されたと判断することを特徴とする車両盗難防止装置。
【請求項３】
車両に配置されたセンサにより該車両の運転者の癖を検知した癖情報を生成する癖検知手段と、
前記運転者の癖情報が予め記憶された記憶手段と、
前記癖検知手段にて生成された前記運転者の癖情報と前記記憶手段に記憶された前記正規ユーザの癖情報とを比較し、その比較結果に応じて前記車両を運転している運転者が前記車両の正規ユーザか否かを照合し、前記車両を運転している運転者が前記車両の正規ユーザでない場合に前記車両が盗難されたと判断する判断手段と、
前記判断手段によって前記車両が盗難されたと判断された場合に、前記車両の機能を低下させる機能低下手段と
を備えたことを特徴とする車両盗難防止装置。
【請求項４】
請求項３に記載の車両盗難防止装置において、
前記癖検知手段は、前記運転者の癖情報を複数生成し、
前記記憶手段には、前記正規ユーザの癖情報が複数記憶されており、
前記判断手段は、前記癖検知手段にて生成された前記運転者の癖情報と前記記憶手段に記憶された前記正規ユーザの癖情報とを比較し、少なくとも２つが一致しない場合に、前記車両を運転している運転者が前記車両の正規ユーザか否かを照合することを特徴とする車両盗難防止装置。
【請求項５】
請求項１乃至請求項４の何れか１項に記載の車両盗難防止装置において、
前記記憶手段は、複数の前記正規ユーザにそれぞれ設定された識別情報に対応して設けられ前記識別情報に対応する前記正規ユーザの癖情報がそれぞれ記憶された複数の記憶部を備え、
前記判断手段は、前記運転者から前記識別情報を取得し、取得した前記識別情報に対応する前記記憶部を選択し、選択した記憶部に記憶された前記正規ユーザの癖情報と、前記癖検知手段にて生成された前記運転者の癖情報とを比較することを特徴とする車両盗難防止装置。
【発明の詳細な説明】
【技術分野】
【０００１】
本発明は、車両盗難防止装置に関するものである。
【背景技術】
【０００２】
従来、セキュリティ機関と通信を行うための通信用アンテナを備えた車両盗難防止装置が知られている。例えば、特許文献１にて開示されている車両盗難防止装置は、ＧＰＳ衛星の電波を受信するためのＧＰＳアンテナを備えたＧＰＳユニットと、セキュリティ機関と通信するための通信用アンテナを備えた無線通信装置と、ＧＰＳユニットと無線通信装置を制御して車両位置情報をセキュリティ機関に送信する制御部とを備えている。この車両盗難防止装置を搭載した車両が盗難された場合、車両の盗難に気付いたユーザ（車両の所有者）がセキュリティ機関に連絡すると、セキュリティ機関は車両位置情報の送信を要求する旨の指令信号を送信する。車両盗難防止装置は、通信用アンテナにて指令信号を受信すると、ＧＰＳユニットから出力される車両位置情報を、通信用アンテナを介してセキュリティ機関に送信する。セキュリティ機関は、車両盗難防止装置から送信される車両位置情報に基づいて車両の現在位置を把握する。
【特許文献１】特開２００３−２２６２２８号公報
【発明の開示】
【発明が解決しようとする課題】
【０００３】
しかしながら、特許文献１の車両盗難防止装置では、例えば通信用アンテナが故障していると、通信用アンテナを介してセキュリティ機関と通信を行うことができなくなる。また、電波による通信が困難な場所（山間部等）に車両が移動される等、何らかの理由により通信用アンテナを介して外部と通信することができない状態になると、通信用アンテナを介してセキュリティ機関と通信を行うことができなくなる。このような場合には、セキュリティ機関で車両の現在位置を把握することができず、車両の盗難時等に車両のセキュリティ性を維持することが困難となる虞があった。
【０００４】
また、特許文献１の車両盗難防止装置では、ユーザが車両の盗難に気付いてセキュリティ機関に通報するまで、車両の盗難に対して何ら対策を行うことができないという問題もある。
【０００５】
本発明は、こうした実情に鑑みてなされたものであって、その目的は、通信用アンテナを介した外部との通信に頼ることなく車両のセキュリティ性を維持することができる車両盗難防止装置を提供することにある。
【課題を解決するための手段】
【０００６】
上記課題を解決するため、請求項１に記載の発明は、車両に配置されたセンサにより該車両の運転者の癖を検知した癖情報を生成する癖検知手段と、前記車両の正規ユーザの癖情報が予め記憶された記憶手段と、前記癖検知手段にて生成された前記運転者の癖情報と前記記憶手段に記憶された前記正規ユーザの癖情報とを比較し、その比較結果に応じて前記車両が盗難されたか否かを判断する判断手段と、前記判断手段によって前記車両が盗難されたと判断された場合に、前記車両の機能を低下させる機能低下手段とを備えたことを特徴とする車両盗難防止装置とした。
【０００７】
請求項２に記載の発明は、請求項１に記載の車両盗難防止装置において、前記癖検知手段は、前記運転者の癖情報を複数生成し、前記記憶手段には、前記正規ユーザの癖情報が複数記憶されており、前記判断手段は、前記癖検知手段にて生成された前記運転者の癖情報と前記記憶手段に記憶された前記正規ユーザの癖情報とを比較し、少なくとも２つが一致しない場合に前記車両が盗難されたと判断する。
【０００８】
請求項３に記載の発明は、車両に配置されたセンサにより該車両の運転者の癖を検知した癖情報を生成する癖検知手段と、前記運転者の癖情報が予め記憶された記憶手段と、前記癖検知手段にて生成された前記運転者の癖情報と前記記憶手段に記憶された前記正規ユーザの癖情報とを比較し、その比較結果に応じて前記車両を運転している運転者が前記車両の正規ユーザか否かを照合し、前記車両を運転している運転者が前記車両の正規ユーザでない場合に前記車両が盗難されたと判断する判断手段と、前記判断手段によって前記車両が盗難されたと判断された場合に、前記車両の機能を低下させる機能低下手段とを備えた車両盗難防止装置とした。
【０００９】
請求項４に記載の発明は、請求項３に記載の車両盗難防止装置において、前記癖検知手段は、前記運転者の癖情報を複数生成し、前記記憶手段には、前記正規ユーザの癖情報が複数記憶されており、前記判断手段は、前記癖検知手段にて生成された前記運転者の癖情報と前記記憶手段に記憶された前記正規ユーザの癖情報とを比較し、少なくとも２つが一致しない場合に、前記車両を運転している運転者が前記車両の正規ユーザか否かを照合する。
【００１０】
請求項５に記載の発明は、請求項１乃至請求項４の何れか１項に記載の車両盗難防止装置において、前記記憶手段は、複数の前記正規ユーザにそれぞれ設定された識別情報に対応して設けられ前記識別情報に対応する前記正規ユーザの癖情報がそれぞれ記憶された複数の記憶部を備え、前記判断手段は、前記運転者から前記識別情報を取得し、取得した前記識別情報に対応する前記記憶部を選択し、選択した記憶部に記憶された前記正規ユーザの癖情報と、前記癖検知手段にて生成された前記運転者の癖情報とを比較する。
【００１１】
（作用）
請求項１に記載の発明によれば、判断手段は、癖検知手段によって生成された運転者の癖情報と、記憶手段に予め記憶された正規ユーザの癖情報とを比較し、その比較結果に応じて車両が盗難されたか否かを判断する。従って、車両が盗難されたことを正規ユーザが気付かなくても、車両盗難防止装置にて車両の盗難が検知される。そして、判断手段によって車両が盗難されたと判断された場合には、機能低下手段によって車両の機能が低下される。これにより、当該車両で逃走しようという不審者の意欲が減退される。従って、通信用アンテナを介した外部との通信に頼ることなく車両のセキュリティ性を維持することができる。尚、本発明において、「癖」とは、運転者が車両に乗り込んで車両を運転する際に行う動作の特徴を指す。また、車両の機能とは、車両の運転を快適に行うための快適機能や、車両の走行に関する機能を意味している。
【００１２】
請求項２に記載の発明によれば、癖検知手段にて生成された運転者の複数の癖情報と、記憶手段に記憶された正規ユーザの複数の癖情報とをそれぞれ比較することにより、判断手段は車両が盗難されたか否かを判断する。従って、判断手段が行う車両が盗難されたか否かの判断の信頼性が向上する。また、判断手段は、癖検知手段にて生成された運転者の複数の癖情報と、記憶手段に記憶された正規ユーザの複数の癖情報とを比較し、一致しない癖情報が複数ある場合に、車両が盗難されたと判断する。従って、正規ユーザである運転者を、車両を盗難した不審者であると判断する虞が低減される。
【００１３】
請求項３に記載の発明によれば、判断手段は、癖検知手段によって生成された運転者の癖情報と、記憶手段に予め記憶された正規ユーザの癖情報とを比較し、その比較結果に応じて運転者が正規ユーザか否かを照合し、運転者が正規ユーザでない場合に車両が盗難されたと判断する。従って、車両が盗難されたことを正規ユーザが気付かなくても、車両盗難防止装置にて車両の盗難が検知される。そして、判断手段によって車両が盗難されたと判断された場合には、機能低下手段によって車両の機能が低下される。これにより、当該車両で逃走しようという不審者の意欲が減退される。従って、通信用アンテナを介した外部との通信に頼ることなく車両のセキュリティ性を維持することができる。
【００１４】
また、判断手段は、運転者が正規ユーザか否かを照合し、運転者が正規ユーザでない場合に車両が盗難されたと判断する。従って、例えば、正規ユーザが、平常と異なる動作、即ち記憶手段に記憶された癖情報と異なる動作で運転をした場合に、機能低下手段によって車両の機能が低下されることが防止される。
【００１５】
請求項４に記載の発明によれば、癖検知手段にて生成された運転者の複数の癖情報と、記憶手段に記憶された正規ユーザの複数の癖情報とをそれぞれ比較することにより、その比較結果に応じて運転者が正規ユーザか否かの照合を行う。従って、車両が盗難された可能性がより高い場合に、搭乗者が正規ユーザであるか否かの照合が行われる。また、判断手段は、癖検知手段にて生成された運転者の複数の癖情報と、記憶手段に記憶された正規ユーザの複数の癖情報とを比較し、一致しない癖情報が複数ある場合に、運転者が正規ユーザか否かを照合する。従って、運転者が正規ユーザである場合に、運転者が正規ユーザか否かの照合を行う虞が低減される。
【００１６】
請求項５に記載の発明によれば、記憶手段は、複数の正規ユーザにそれぞれ設定された識別情報に対応した記憶部に、識別情報に対応した正規ユーザの癖情報を記憶している。そして、判断手段は、運転者から取得した識別情報に対応する記憶部に記憶された正規ユーザの癖情報と、癖検知手段にて生成された運転者の癖情報とを比較する。従って、一台の車両に対して複数の正規ユーザが存在する場合に、癖検知手段によって生成された運転者の癖情報に対し、比較されるべき正規ユーザの癖情報が適切に選択される。ここで、「識別情報」とは、個人を特定する情報ではなく、複数の正規ユーザの中で各正規ユーザを見分けることを可能にする情報を意味する。
【発明の効果】
【００１７】
本発明によれば、通信用アンテナを介した外部との通信に頼ることなく車両のセキュリティ性が維持される車両盗難防止装置を提供することができる。
【発明を実施するための最良の形態】
【００１８】
以下、本発明を車両盗難防止システムに具体化した一実施形態を図１に従って説明する。
図１に示すように、車両盗難防止システム１は、携帯機２と、車両３に搭載された車両盗難防止装置４とから構成されている。
【００１９】
携帯機２は、運転者によって携帯され、車両盗難防止装置４から送信されるリクエスト信号を受信すると、携帯機２毎に予め設定されたＩＤコード（識別情報）を含むＩＤ信号を送信する。車両３に対して複数の正規ユーザ（車両の所有者、及び該所有者によって認められた運転者）が存在する場合には、正規ユーザ毎に異なるＩＤコードが設定された携帯機２が各正規ユーザによって携帯される。即ち、携帯機２は、正規ユーザの人数と同数設けられている。以下、車両３に対する正規ユーザが複数人存在するものとして説明するが、正規ユーザは一人であってもよい。
【００２０】
車両盗難防止装置４は、照合部１０、カーナビゲーション装置２０、癖検知部３０、雨滴検知部５０、機能低下部６０、時計７０、通信部８０、癖認識部９０、及びセキュリティＥＣＵ(Electronic Control Unit )１００を備えて構成されている。この車両盗難防止装置４には、車載のバッテリ（図示略）から電力が供給される。
【００２１】
照合部１０は、送受信回路１１、及び照合制御部１２を備えている。送受信回路１１は、照合制御部１２から入力されるリクエスト信号を所定の周波数に変調して送受信アンテナ１３を介して送信する。また、送受信回路１１は、リクエスト信号に対する応答として携帯機２から送信されるＩＤ信号を受信すると、同ＩＤ信号をパルス信号に復調して照合制御部１２に出力する。
【００２２】
照合制御部１２は、図示しないＣＰＵ(Central Processing Unit)、ＲＯＭ(Read-Only Memory)、ＲＡＭ(Random Access Memory)等からなるＣＰＵユニットである。ＲＯＭには、予め車両毎に設定されたＩＤコードが記録されている。このＩＤコードは、車両３に対する複数の携帯機２に対応させて複数設定されている。
【００２３】
照合制御部１２は、ＩＤ信号の返信を要求する旨のリクエスト信号を送受信回路１１に対して間欠的に出力する。また、照合制御部１２は、ＩＤコード信号が入力されるとＩＤ信号中のＩＤコードと、ＲＯＭに予め記録されたＩＤコードとを比較する（ＩＤ照合）。ＩＤ信号中のＩＤコードが、ＲＯＭに予め記録されたＩＤコードの何れかと一致することによりＩＤ照合が成立した場合、照合制御部１２は、ドアロックアクチュエータ（図示略）を作動させて車両３のドアの施錠・解錠を行う。また、照合制御部１２は、ＩＤ照合が成立すると、ＩＤ照合が成立した携帯機２のＩＤコードを含む識別信号をセキュリティＥＣＵ１００に出力する。
【００２４】
カーナビゲーション装置２０は、自車の位置をＧＰＳ(Global Positioning System )により測定して道を間違えないように運転者を目的地まで案内する装置である。ＧＰＳは、ＧＰＳ衛星２１から発信される複数（例えば３つ）の電波を受信し、三角測量の原理で自身の位置を測定するシステムである。
【００２５】
このカーナビゲーション装置２０は、ユニット化された装置であり、同装置のメイン制御を司る制御部２２、ＧＰＳを用いて自身（即ち車両３）の位置を測定するＧＰＳユニット２３、同装置に電源を投入したりデータ入力をしたりする時に操作されるスイッチ式の操作部２４を備えている。また、カーナビゲーション装置２０は、使用時に各種画面が表示されるディスプレイ２５、及び音声が出力されるスピーカ２６を備えている。操作部２４は、運転者が正規ユーザであることを確認するためのパスワードを入力する際にも運転者によって操作される。
【００２６】
ＧＰＳユニット２３は、ＧＰＳアンテナ２７を備えており、該ＧＰＳアンテナ２７を介して複数のＧＰＳ衛星２１から電波を受信し、その受信電波に基づきＧＰＳユニット２３の現在位置（即ち車両３の現在位置）を測定する。そして、ＧＰＳユニット２３は、測定した車両位置情報を制御部２２に出力する。制御部２２は、その車両位置情報に基づき車両３の位置をディスプレイ２５のデジタル地図上に表示し、目的地まで運転者を道に迷わないように誘導する。また、制御部２２は、車両位置情報をセキュリティＥＣＵ１００に出力する。
【００２７】
癖検知部３０は、車両３を運転している運転者の癖を検知するために設けられている。ここで、「癖」とは、運転者が車両３に乗り込んで車両３を運転する際に行う動作の特徴を指す。癖検知部３０は、ドア開閉検知部３１、シートベルト着脱検知部３２、エンジン始動検知部３３、ステアリングホイール接触位置検知部３４、ステアリングホイール操作検知部３５、シフトレバー接触検知部３６、シフトポジション検知部３７、アクセル操作検知部３８、ブレーキ操作検知部３９、及び車速検知部４０から構成されている。
【００２８】
ドア開閉検知部３１は、セキュリティＥＣＵ１００に電気的に接続されたスイッチ式のセンサであり、車両３の運転席のドアの開閉状態を検知する。ドア開閉検知部３１は、運転席のドアが開いた状態にある場合にはセキュリティＥＣＵ１００に開信号を出力し、運転席のドアが閉じた状態にある場合にはセキュリティＥＣＵ１００に閉信号を出力する。
【００２９】
シートベルト着脱検知部３２は、セキュリティＥＣＵ１００に電気的に接続されたスイッチ式のセンサであり、運転席用のシートベルトの着脱状態を検知する。シートベルト装置は、運転席の左側に固定されたバックルと、該バックルに差し込まれるタングプレートが挿着されたラップベルトとを備えている。シートベルト着脱検知部３２はバックル内に配設されている。運転者によってタングプレートがバックルに差し込まれロックされると、シートベルト着脱検知部３２は、セキュリティＥＣＵ１００に装着信号を出力する。また、運転者によってタングプレートがバックルから解除されると、シートベルト着脱検知部３２は、セキュリティＥＣＵ１００に解除信号を出力する。
【００３０】
エンジン始動検知部３３は、車両３のイグニッションスイッチにより構成されており、エンジンが始動されたことを検知する。エンジン始動検知部３３は、セキュリティＥＣＵ１００に電気的に接続されており、運転者によってエンジンを始動させるようにイグニッションスイッチが操作されると、セキュリティＥＣＵ１００に始動信号を出力する。
【００３１】
ステアリングホイール接触位置検知部３４は、セキュリティＥＣＵ１００に電気的に接続された複数のタッチセンサから構成され、運転者がステアリングホイールを操作する際に握る位置を検知する。各タッチセンサは、ステアリングホイールの外周縁に周方向に等角度間隔に配設されている。尚、各タッチセンサは、ステアリングホイールにおいて運転者の手が握る位置を確実に検知するために、隣接するタッチセンサ間の間隔が運転者の手のひらの横幅以下であることが望ましい。そして、運転者がステアリングホイールを握ることにより運転者の手が接触したタッチセンサから接触検知信号が出力される。セキュリティＥＣＵ１００では、ステアリングホイール接触位置検知部３４を構成する何れのタッチセンサから接触検知信号が入力されたかを識別可能となっている。
【００３２】
ステアリングホイール操作検知部３５は、セキュリティＥＣＵ１００に電気的に接続されたステアリング舵角センサにより構成され、運転者によるステアリングホイールの操作の仕方を検知する。詳しくは、ステアリングホイール操作検知部３５は、ステアリングシャフトに一体回転可能に固定されたスロットディスクと、該スロットディスクと軸方向に対向する位置に固定された２組のフォトインタラプタとから構成されている。スロットディスクには、周方向に等角度間隔に複数の孔が形成されている。そして、ステアリングシャフトと共にスロットディスクが回転すると、フォトインタラプタはスロットディスクによる光の透過・遮断に応じて所定のステアリング舵角毎にＯＮ／ＯＦＦのパルス信号を発生する。このパルス信号がステアリングホイール操作信号としてセキュリティＥＣＵ１００に出力される。このように、ステアリングホイール操作検知部３５は、ステアリングホイールの回転量、回転速度、及び回転方向に応じたステアリングホイール操作信号をセキュリティＥＣＵ１００に出力する。
【００３３】
シフトレバー接触検知部３６は、セキュリティＥＣＵ１００に電気的に接続されたタッチセンサにより構成され、運転者がシフトレバーを握ったことを検知する。シフトレバー接触検知部３６は、シフトレバーにおいて、運転者がシフトレバーを操作する際に運転者の手が接触する位置に配設されている。そして、シフトレバー接触検知部３６は、運転者がシフトレバーに接触する（シフトレバーを握る）とセキュリティＥＣＵ１００に接触検知信号を出力する。
【００３４】
シフトポジション検知部３７は、多段階接点を有するスイッチによって構成され、シフトレバーの位置を検知する。シフトポジション検知部３７は、検知したシフトレバーの位置に応じたシフト位置信号をセキュリティＥＣＵ１００に出力する。即ち、シフトポジション検知部３７は、シフトレバーが駐車（Ｐ）ポジションに位置している旨のシフト位置信号と、後退（Ｒ）ポジションに位置している旨のシフト位置信号と、中立（Ｎ）ポジションに位置している旨のシフト信号と、走行（Ｄ）ポジションに位置している旨のシフト信号とをそれぞれ出力する。
【００３５】
アクセル操作検知部３８は、ロータリエンコーダを備えるスイッチユニットであり、運転者によるアクセルペダルの操作の仕方を検知する。詳しくは、アクセル操作検知部３８のロータリエンコーダは、アクセルペダルの踏込み量を検知可能な位置、例えばアクセルペダルの回転支点に取り付けられている。そして、アクセル操作検知部３８は、アクセルペダルの回転角度から間接的にアクセルペダルの踏込み量を検知すると共に、アクセルペダルの踏込み速度を検知する。アクセル操作検知部３８は、アクセルペダルの踏込み量、及び踏込み速度に応じたアクセル操作信号をセキュリティＥＣＵ１００に出力する。
【００３６】
ブレーキ操作検知部３９は、アクセル操作検知部３８と同様に、ロータリエンコーダを備えるスイッチユニットであり、運転者によるブレーキペダルの操作の仕方を検知する。詳しくは、ブレーキ操作検知部３９のロータリエンコーダは、ブレーキペダルの踏込み量を検知可能な位置、例えばブレーキペダルの回転支点に取り付けられている。そして、ブレーキ操作検知部３９は、ブレーキペダルの回転確度から間接的にブレーキペダルの踏込み量を検知すると共に、ブレーキペダルの踏込み速度を検知する。ブレーキ操作検知部３９は、ブレーキペダルの踏込み量、及び踏込み速度に応じたブレーキ操作信号をセキュリティＥＣＵ１００に出力する。
【００３７】
車速検知部４０は、車輪の速度を検出するセンサにより構成され、車両３の走行速度を検知する。詳しくは、車速検知部４０は、車輪と共に回転する磁気ロータと、該磁気ロータに対向配置されるホールＩＣとから構成されている。そして、磁気ロータの回転によって生じる磁束変化が、ホールＩＣによって車速パルスとして取り出される。この車速パルスが車速信号としてセキュリティＥＣＵ１００に出力される。
【００３８】
雨滴検知部５０は、降雨の有無を検知するためのセンサである。雨滴検知部５０は、車両３の外部の所定箇所に設けられ、降雨を検知するとその旨を示す雨滴検知信号をセキュリティＥＣＵ１００に出力する。
【００３９】
機能低下部６０は、ウインドウガラス開閉規制部６１と、シフトチェンジ規制部６２とから構成されている。
本実施形態の車両３は、車両３のドアに設けられたウインドウガラスを電動で昇降させるパワーウインドウ装置を備えている。ウインドウガラスの昇降（開閉）は、ウインドレギュレータによって行われる。ウインドウガラス開閉規制部６１は、ウインドウガラスの昇降を禁止する旨の規制信号がセキュリティＥＣＵ１００から入力された場合には、パワーウインドウ装置の動作を禁止し、ウインドウガラスの上昇（閉）及び下降（開）の何れも行わせない。
【００４０】
また、車両３は、シフトバイワイヤ方式の自動変速機を備えている。そして、シフトチェンジ規制部６２は、シフトアップの禁止を示す規制信号がセキュリティＥＣＵ１００から入力された場合には、シフトアップの禁止を示す規制信号が入力された時の変速機の状態よりもシフトアップするように変速機の歯車列が切り換えられることを禁止する。更に、シフトアップの禁止を示す規制信号が入力された後は、シフトチェンジ規制部６２は、一旦シフトダウンされると、それ以後シフトアップすることができないように変速機における歯車列の切換えを規制する。
【００４１】
時計７０は、セキュリティＥＣＵ１００に電気的に接続されており、時刻に応じた時刻信号をセキュリティＥＣＵ１００に出力する。
通信部８０は、セキュリティ機関（民間のセキュリティ会社、警察、病院等）８１との間で電波による通信を行うものであり、通信用アンテナ８２を備えている。通信部８０は、車両３でセキュリティ機関８１に通報を必要とする緊急事態（車両３の盗難、事故等）が発生した場合にセキュリティＥＣＵ１００から入力される通報信号を、通信用アンテナ８２を介してセキュリティ機関８１に送信する。
【００４２】
癖認識部９０は、データベースである。詳しくは、癖認識部９０は、各携帯機２に対応した癖認識エンジン９１をそれぞれ備えている。即ち、癖認識部９０は、車両３に対応する複数の携帯機２の各ＩＤコードに対応した癖認識エンジン９１を備えている。癖認識エンジン９１には、セキュリティＥＣＵ１００によって当該癖認識エンジン９１に対応した携帯機２を所持する運転者の癖情報が正規ユーザの癖情報として書き込まれる。
【００４３】
セキュリティＥＣＵ１００は、図示しないＣＰＵ、ＲＯＭ、ＲＡＭ等からなるＣＰＵユニットであり、メモリ１０１及びタイマ回路１０２を備えている。メモリ１０１には、運転者が正規ユーザであることを認証するためのパスワードが登録されている。このパスワードは、携帯機２を所持する正規ユーザが操作部２４を操作することにより登録され、各携帯機２のＩＤコードに対応させてメモリ１０１に記憶されている。
【００４４】
セキュリティＥＣＵ１００は、癖検知部３０から入力される各種信号に基づいて運転者の癖を検知し、検知結果に基づいて運転者の癖情報を作成する。「癖情報」とは、セキュリティＥＣＵ１００が癖検知部３０から入力される各種信号に基づいて運転者の癖を検知して作成（生成）するデータを指す。ここで、セキュリティＥＣＵ１００が作成する運転者の癖情報を項目に分けて説明する（項目毎に箇条書きにて記載）。尚、本実施形態では、運転者の癖の検知は、車両３に乗車する運転者によって車両３の運転席のドアが開けられた時点から開始され、運転者が車両３から降車して運転席のドアが施錠（ロック）された時点で終了される。即ち、セキュリティＥＣＵ１００は、ドア開閉検知部３１から開信号が入力された時点から運転者の癖の検知を開始し、車両３のドアの施錠・解錠状態を検知するドアポジションスイッチ（図示略）から運転席のドアが施錠状態にあることを示す施錠信号が入力された時点で運転者の癖の検知を終了する。
【００４５】
・セキュリティＥＣＵ１００は、ドア開閉検知部３１から入力される開信号、シートベルト着脱検知部３２から入力される装着信号、及びエンジン始動検知部３３から入力される始動信号が何れの順序で入力されるかを検知する。この検知結果から、セキュリティＥＣＵ１００は、運転者が、車両３のドアを閉める動作と、シートベルトを装着する動作と、エンジンを始動させる動作とを行う順番を運転者の癖情報として作成する。
【００４６】
・セキュリティＥＣＵ１００は、ステアリングホイール接触位置検知部３４から入力される接触検知信号に基づいて、運転者がステアリングホイールのどの位置を握っているかを検知する。この検知結果から、セキュリティＥＣＵ１００は、運転者が車両３を運転する際に、ステアリングホイールのどの位置を握るかを運転者の癖情報として作成する。
【００４７】
・セキュリティＥＣＵ１００は、シフトレバー接触検知部３６から接触検知信号が入力されることにより、運転者がシフトレバーを握っていることを検知する。また、セキュリティＥＣＵ１００は、接触検知信号が入力されるとタイマ回路１０２を駆動させて、接触検知信号が入力されている時間を計測する。尚、運転者が走行中にシフトレバーを握っているか否かの検知は、シフトポジション検知部３７から、シフトレバーが走行（Ｄ）ポジションに位置している旨のシフト信号が入力されている間中行われる。この検知結果から、セキュリティＥＣＵ１００は、運転者が走行中にシフトレバーを握っているか否かを運転者の癖情報として作成する。また、セキュリティＥＣＵ１００は、運転者が走行中にシフトレバーを握っている場合には、走行中にシフトレバーを握っている時間を運転者の癖情報として作成する。
【００４８】
・セキュリティＥＣＵ１００は、アクセル操作検知部３８から入力されるアクセル操作信号に基づいて、アクセルペダルの踏込み量及びアクセルペダルの踏込み速度（アクセルペダルを踏み込む速度）を検知する。これにより、セキュリティＥＣＵ１００は、例えば、運転者が、発進時に素早く深くアクセルペダルを踏み込む人であるとか、最初はゆっくり踏み込んで徐々に踏み込む速度を大きくするようにアクセルペダルを踏み込む人であるといったことを検知する。この検知結果から、セキュリティＥＣＵ１００は、発進時のアクセルペダルの踏込み方を運転者の癖情報として作成する。
【００４９】
・セキュリティＥＣＵ１００は、ブレーキ操作検知部３９から入力されるブレーキ操作信号に基づいて、ブレーキペダルの踏込み量及びブレーキペダルの踏込み速度（ブレーキペダルを踏込む速度）を検知する。また、セキュリティＥＣＵ１００は、車速検知部４０から入力される車速信号に基づいて車両３の速度を検知し、検知した速度と運転者のブレーキの踏込み方とを関連付けて検知する。これにより、セキュリティＥＣＵ１００は、例えば、運転者が、踏込み始めはゆっくりで車両３の停止間際に素早くブレーキペダルを踏み込む人であるとか、踏込み始めは踏込み量が多く徐々に踏込み量を少なくしていくようにブレーキペダルを踏み込む人であるといったことを検知する。また、セキュリティＥＣＵ１００は、例えば、車速が５０［ｋｍ／ｈ］の時のブレーキペダルの踏込み方がどのようであるかというように、車速に応じてブレーキペダルの踏込み方を検知する。更に、セキュリティＥＣＵ１００は、運転者が所定の車速になるとブレーキペダルの踏み込みを止める人であるといったことを検知する。この検知結果から、セキュリティＥＣＵ１００は、運転者のブレーキペダルの踏込み方を運転者の癖情報として作成する。
【００５０】
・セキュリティＥＣＵ１００は、車速検知部４０から入力される車速信号に基づき車速が０［ｋｍ／ｈ］であると検知した場合に、シフトポジション検知部３７からシフトレバーがＮポジションに位置している旨のシフト信号が入力されると、運転者が車両３の停止時にシフトレバーをＮポジションに切り換えたことを検知する。この検知結果から、セキュリティＥＣＵ１００は、運転者が車両３の停止時にシフトレバーを中立（Ｎ）ポジションに切り換えるか否かを運転者の癖情報として作成する。
【００５１】
・セキュリティＥＣＵ１００は、車両３が所定の交差点を右折若しくは左折する際に、ステアリングホイール操作検知部３５から入力されるステアリングホイール操作信号に基づいてステアリングホイールの回転量及び回転速度を検知する。尚、所定の交差点とは、正規ユーザが頻繁に右折若しくは左折する交差点であって、所定回数（例えば１０回）以上右折若しくは左折すると、セキュリティＥＣＵ１００によって癖認識エンジン９１にその交差点の位置情報が書き込まれる。この検知結果から、セキュリティＥＣＵ１００は、車両３が所定の交差点を右折若しくは左折する際に、運転者によるステアリングホイールの操作の仕方を運転者の癖情報として作成する。
【００５２】
・車両３が例えば通勤や通学等に利用される場合には、車両３が運転される時刻がほぼ決まっていることから、セキュリティＥＣＵ１００は、時計７０から入力される時刻信号に基づいて車両３が運転される時刻を検知する。この検知結果から、セキュリティＥＣＵ１００は、運転者が車両３を運転する時刻を運転者の癖情報として作成する。
【００５３】
セキュリティＥＣＵ１００は、車両盗難防止装置４が使用され始めてから所定期間（例えば３０日）の間は、癖認識部９０への運転者の癖情報の記録を行う。即ち、セキュリティＥＣＵ１００は、癖検知部３０から入力される各種信号に基づいて運転者の癖を検知して運転者の癖情報（上記の複数の項目のもの）を作成し、作成した癖情報を正規ユーザの癖情報として癖認識部９０に書き込む。この時、セキュリティＥＣＵ１００は、照合制御部１２から入力される識別信号に基づいて、運転者が所持している携帯機２が何れの携帯機２であるかを認識し、識別した携帯機２に対応する癖認識エンジン９１に作成した運転者の癖情報を正規ユーザの癖情報として書き込む。そして、所定期間が経過した時点で、運転者の癖情報の項目毎に、最も多く検知された状態をそれぞれ正規ユーザの癖情報として癖認識エンジン９１に残す。
【００５４】
また、セキュリティＥＣＵ１００は、癖認識部９０から正規ユーザの癖情報を読み出し、読み出した正規ユーザの癖情報と作成した運転者の癖情報とを比較し、その比較結果に応じて車両盗難防止装置４を制御する。
【００５５】
次に、上記のように構成された車両盗難防止装置４の動作を説明する。
車両３が駐車されている状態（ドアは施錠されている）において、携帯機２を携帯した運転者が、車両盗難防止装置４から送信されるリクエスト信号を受信可能な位置まで車両３に近づくと、運転者が携帯した携帯機２から車両盗難防止装置４にＩＤ信号が送信される。照合部１０は、送受信アンテナ１３を介してＩＤ信号を受信すると、ＩＤ照合を行う。照合部１０は、ＩＤ照合が成立すると、ドアロックアクチュエータを作動させて車両３のドアを解錠すると共に、ＩＤ照合が成立した携帯機２のＩＤコードを含む識別信号をセキュリティＥＣＵ１００に出力する。
【００５６】
セキュリティＥＣＵ１００は、識別信号が入力されると、同識別信号に基づいてＩＤ照合が成立した携帯機２に対応する癖認識エンジン９１を選択する。即ち、ＩＤ照合が成立した携帯機２のＩＤコードに対応して設けられた癖認識エンジン９１を選択する。そして、セキュリティＥＣＵ１００は、運転者によって運転席のドアが開けられることによりドア開閉検知部３１から開信号が入力されると、運転者の癖の検知を開始する。
【００５７】
セキュリティＥＣＵ１００は、癖検知部３０から入力される各種信号に基づいて運転者の癖を検知し、検知結果に基づいて上述した運転者の癖情報（箇条書きの項目）を作成する。そして、セキュリティＥＣＵ１００は、作成した運転者の癖情報と、選択した癖認識エンジン９１に書き込まれている正規ユーザの癖情報とを上述の項目毎に比較する。尚、セキュリティＥＣＵ１００は、雨滴検知部５０から雨滴検知信号が入力されている場合には、運転者の癖情報として作成する「運転者が、車両３のドアを閉める動作と、シートベルトを装着する動作と、エンジンを始動させる動作とを行う順番」の項目は、無効とする。即ち、当該項目に関しては、セキュリティＥＣＵ１００は、選択した癖認識エンジン９１に書き込まれている正規ユーザの癖情報と比較しない。
【００５８】
セキュリティＥＣＵ１００は、作成した運転者の癖情報と、読み出した癖認識エンジン９１に書き込まれている正規ユーザの癖情報とが一致する場合には、車両３を運転している運転者は車両３の正規ユーザであって、携帯機２の正規の所持者であると判断する。但し、ステアリングホイール、アクセルペダル、及びブレーキペダルの操作の仕方を検知して作成した癖情報については、「一致」とは、作成した運転者の癖情報と癖認識エンジン９１に書き込まれている正規ユーザの癖情報とが完全に一致する場合のみを指すものではない。この場合の「一致」は、作成した運転者の癖情報と癖認識エンジン９１に書き込まれている正規ユーザの癖情報とが類似している場合も含む。また、時間を検知して作成した癖情報についても「一致」の解釈を同様とする。
【００５９】
一方、セキュリティＥＣＵ１００は、作成した運転者の癖情報と、読み出した癖認識エンジン９１に書き込まれている正規ユーザの癖情報とが一致しない場合には、一致しない癖情報の数をカウントする。そして、一致しない癖情報の数が所定数（作成する運転者の癖情報の項目数以下に設定され、本実施形態では、例えば４に設定される）に達した場合には、セキュリティＥＣＵ１００は、車両３が盗難された可能性があると判断する。そして、セキュリティＥＣＵ１００は、パスワードの入力を要求する旨の画像をディスプレイ２５に表示されると共に、パスワードの入力を要求する旨の音声をスピーカ２６に出力させることにより、運転者にパスワードの入力を要求する。
【００６０】
運転者が操作部２４を操作することによりパスワードが入力されると、セキュリティＥＣＵ１００は、操作部２４を操作することにより入力されたパスワードとメモリ１０１に予め登録されたパスワードとを比較する（パスワード照合）。操作部２４を操作することにより入力されたパスワードと、運転者が携帯している携帯機２に対応してメモリ１０１に予め登録されたパスワードとが一致することによりパスワード照合が成立した場合、セキュリティＥＣＵ１００は、運転者は車両３の正規ユーザであって、携帯機２の正規の所持者であると判断する。この場合、運転者が正規ユーザであるにも関わらず、癖認識エンジン９１に書き込まれた癖情報と作成した癖情報とが異なることから、正規ユーザは平常の運転状態と異なる癖で運転していることになる。従って、セキュリティＥＣＵ１００は、安全運転を心がけるよう促す旨の画像をディスプレイ２５に表示させると共に、安全運転を心がけるよう促す旨の音声をスピーカ２６に出力させる。
【００６１】
一方、パスワード照合が不成立の場合には、セキュリティＥＣＵ１００は、運転者は正規ユーザでない、即ち不審者であり、車両３が盗難されたと判断する。また、セキュリティＥＣＵ１００は、パスワードの入力を要求してから所定時間ｔ１が経過しても操作部２４によるパスワードの入力がない場合にも、運転者は不審者であり、車両３が盗難されたと判断する。そして、セキュリティＥＣＵ１００は、通信部８０に車両３が盗難されたことを示す通報信号を出力する。通信部８０は、通信用アンテナ８２を介してセキュリティ機関８１に通報信号を送信する。更に、セキュリティＥＣＵ１００は、車両３の機能を徐々に低下させていく。本実施形態では、セキュリティＥＣＵ１００は、まずウインドウガラス開閉規制部６１にウインドウガラスの昇降を禁止する旨の規制信号を出力する。これにより、ウインドウガラス開閉規制部６１は、ウインドウガラスの上昇及び下降の何れも禁止する。従って、例えば、車両３を盗難した不審者が、ウインドウガラスを下降させて（開けて）車内の温度調節を行おうとしても、ウインドウガラスは動かない。次いで、セキュリティＥＣＵ１００は、シフトチェンジ規制部６２にシフトアップの禁止を示す旨の規制信号を出力する。これにより、シフトチェンジ規制部６２は、車両３の増速を禁止する。従って、車両３が停止していた場合には、不審者は車両３を発進させることができない。また、車両３が走行中の場合には、不審者は、車両３の速度を上げることができないと共に、一旦車両３の速度を落とすと、それ以上に速度を上げることができなくなる。
【００６２】
尚、セキュリティＥＣＵ１００は、一致しない癖情報の数が所定数（例えば４）に達しない場合には、車両３を運転している運転者は車両３の正規ユーザであって、携帯機２の正規の所持者であると判断する。
【００６３】
癖認識部９０に書き込まれた正規ユーザの癖情報に基づきセキュリティＥＣＵ１００によって行われる上記の処理は、ドアロックポジションスイッチからセキュリティＥＣＵ１００に施錠信号が入力されると終了される。また、この処理は、癖認識部９０へ癖情報の記録を行う期間中も行われている。
【００６４】
上記したように、本実施形態によれば、以下の作用・効果を有する。
（１）セキュリティＥＣＵ１００は、運転者の癖を癖検知部３０から入力される各種信号に基づいて検知する。そして、セキュリティＥＣＵ１００は、検知結果に基づいて作成した運転者の癖情報と、癖認識部９０に記憶された正規ユーザの癖情報とを比較し、その比較結果に応じて車両３が盗難された可能性があると判断した場合に、パスワード照合を行って運転者が正規ユーザか否かを確かめる。そして、運転者が正規ユーザでない場合に、セキュリティＥＣＵ１００は車両３が盗難されたと判断する。従って、車両３が盗難されたこと正規ユーザが気付かなくても、車両盗難防止装置４にて車両の盗難が検知される。従って、携帯機２を盗難した不審者によって車両３が盗難された場合であっても車両３の盗難を検知することができる。また、セキュリティＥＣＵ１００によって車両３が盗難されたと判断された場合には、機能低下部６０によって車両３の機能が低下される。これにより、盗難した車両３で逃走しようという不審者の意欲が減退される。従って、通信用アンテナ８２を介してセキュリティ機関８１と通信することができない場合であっても、通信用アンテナ８２を介した外部との通信に頼ることなく車両３のセキュリティ性を維持することができる。
【００６５】
（２）セキュリティＥＣＵ１００は、パスワード照合により運転者が正規ユーザでないと判断された場合に車両３が盗難されたと判断する。従って、例えば、正規ユーザが平常と異なる動作、即ち癖認識部９０に記憶された癖情報と異なる動作で運転をした場合に、機能低下部６０によって車両３の機能が停止されることを防止することができる。
【００６６】
（３）セキュリティＥＣＵ１００は、運転者の癖の検知結果に基づいて作成した運転者の複数の癖情報と、癖認識部９０に書き込まれている正規ユーザの複数の癖情報とを項目毎に比較することにより、その比較結果に応じて車両３が盗難された可能性があるか否かを判断している。従って、複数の癖情報の比較結果に基づいて車両が盗難された可能性があるか否かの判断が行われるため、その判断の信頼性が向上する。よって、車両３が盗難された可能性がより高い場合にセキュリティＥＣＵ１００によってパスワード照合が行われ、正規ユーザに対してむやみにパスワードの入力を要求することを抑制することができる。
【００６７】
（４）癖認識部９０は、複数の正規ユーザにそれぞれ携帯される携帯機２のＩＤコードに対応した癖認識エンジン９１を備えている。そして、各癖認識エンジン９１には、各癖認識エンジン９１対応するＩＤコードが設定された携帯機２の正規の所持者の癖情報が記録される。従って、車両３に対する正規ユーザが複数存在する場合に、各正規ユーザの癖情報が混ざることなく記録される。また、セキュリティＥＣＵ１００は、運転者が所持する携帯機２に設定されたＩＤコードを取得すると、該ＩＤコードに対応する癖認識エンジン９１を選択し、選択した癖認識エンジン９１に書き込まれている正規ユーザの癖情報と、癖検知部３０を用いて検知した運転者の癖に基づいて作成した運転者の癖情報とを比較する。従って、車両３に対する正規ユーザが複数存在する場合に、作成した運転者の癖情報に対し、比較されるべき正規ユーザの癖情報が適切に選択される。その結果、セキュリティＥＣＵ１００が行う車両が盗難された可能性があるか否かの判断の信頼性をより向上させることができる。
【００６８】
（５）セキュリティＥＣＵ１００は、パスワード照合が成立した場合には、正規ユーザが平常の運転状態と異なる癖で運転していると判断し、安全運転を心がけるよう促す旨の画像をディスプレイ２５に表示させると共に、安全運転を心がけるよう促す旨の音声をスピーカ２６に出力させる。これにより、正規ユーザは、自身の運転状態が平常と異なることを意識し、安全運転を心がけることができる。
【００６９】
（６）正規ユーザは、パスワード照合のためのパスワードを登録したら、後は平常通り運転するだけで、セキュリティＥＣＵ１００によって、自身の癖情報が記録されると共に、車両３が盗難された可能性があるか否かの判断が行われる。従って、車両盗難防止装置４を車両３に搭載したことにより生じる正規ユーザの負担が少ない。
【００７０】
（７）セキュリティＥＣＵ１００は、雨滴検知部５０から雨滴検知信号が入力されている場合には、運転者の癖情報として検知する「運転者が、車両３のドアを閉める動作と、シートベルトを装着する動作と、エンジンを始動させる動作とを行う順番」の項目は、無効としている。従って、雨が降っていると変動する虞がある癖情報は、雨が降っている場合には癖認識エンジン９１に書き込まれている正規ユーザの癖情報との比較を行わないことにより、セキュリティＥＣＵ１００は、天候の影響を受けることなく車両が盗難された可能性があるか否かの判断を行うことができる。
【００７１】
尚、本発明の実施形態は、以下のように変更してもよい。
○安全運転を心がけるよう促す旨の画像をディスプレイ２５に表示させると共に、安全運転を心がけるよう促す旨の音声をスピーカ２６に出力させた後に再度癖情報の比較を行い、一致しない癖情報の数が所定数に達した場合に、バイオメトリクス照合（例えば、指紋照合）を行うようにしてもよい。この場合、セキュリティＥＣＵ１００は、バイオメトリクス照合が不成立の場合に、車両３の機能を徐々に低下させる。このように構成すると、例えば、不審者が車両３の正規ユーザからパスワードを聞き出して車両３を盗難した場合であっても車両３のセキュリティ性を維持することができる。
【００７２】
○上記実施形態では、正規ユーザ毎に癖認識エンジン９１を対応させるために、正規ユーザ毎に対応して設けられた携帯機２（ＩＤコード）に対応させて癖認識エンジン９１を設けている。しかしながら、癖認識エンジン９１は、運転席のシート位置（識別情報）に対応させて設けられてもよい。この場合、セキュリティＥＣＵ１００は、運転席のシート位置を検知することにより、検知したシート位置に対応する癖認識エンジン９１を選択し、選択した癖認識エンジン９１に書き込まれた正規ユーザの癖情報と、運転者の癖の検知結果に基づいて作成した運転者の癖とを比較する。尚、運転席のシート位置の検知は、運転席のシートの前後位置、及びリクライニング部の回動位置の調整がモータ駆動によって行われるものであれば、駆動モータに取り付けられたポジションセンサを用いて検知される。このポジションセンサは、モータによって回転される軸に取着されたマグネットと、該マグネットに対向配置されたホールＩＣとから構成されている。そして、ポジションセンサは、軸の回転によって生じる磁束変化をホールＩＣによって回転パルスとして取り出し、この回転パルスをシート位置信号としてセキュリティＥＣＵ１００に出力する。セキュリティＥＣＵ１００は、シート位置信号に基づいてシート位置を検知する。
【００７３】
○上記実施形態では、セキュリティＥＣＵ１００は、運転者の癖情報として８項目の癖情報を作成しているが、これに限らない。例えば、作成する運転者の癖情報は、上記実施形態の８項目のうち、何れかｎ項目（ｎは７以下の自然数）であってもよい。
【００７４】
○作成する運転者の癖情報は、その癖を検知することにより運転者が正規ユーザか否かを判断するために役立つものであれば、上記実施形態で述べた８項目以外のものであってもよい。例えば、下記に述べる項目が挙げられる。
【００７５】
・セキュリティＥＣＵ１００は、運転席のドアが開けられてから何秒後にエンジンが始動されたかを運転者の癖情報として作成してもよい。この場合、セキュリティＥＣＵ１００は、開信号が入力されてから始動信号が入力されるまでの時間をタイマ回路１０２にて計測する。
【００７６】
○上記実施形態では、セキュリティＥＣＵ１００は、ドア開閉検知部３１から開信号が入力された時点から運転者の癖の検知を開始し、車両３のドアの施錠・解錠状態を検知するドアポジションスイッチ（図示略）から施錠信号が入力された時点で運転者の癖の検知を終了するが、これに限らない。例えば、セキュリティＥＣＵ１００は、エンジン始動検知部３３からセキュリティＥＣＵ１００に始動信号が入力された時点から運転者の癖の検知を開始してもよい。また、セキュリティＥＣＵ１００は、ドア開閉検知部３１から開信号が入力された時点で運転者の癖の検知を終了してもよいし、エンジンが停止された時点で終了してもよい。また、セキュリティＥＣＵ１００は、シートベルト着脱検知部３２から解除信号が入力された時点で運転者の癖の検知を終了してもよい。
【００７７】
○癖検知部３０の構成は、運転者の癖を検知可能であれば、上記実施形態の構成と同一でなくてもよい。
○上記実施形態では、セキュリティＥＣＵ１００は、車両３が盗難されたと判断すると、車両３の機能を徐々に低下させる。この時、低下される車両３の機能は、その機能を低下させることにより、車両３を盗難した不審者に不快感が与えられ、当該車両３で逃走しようという不審者の意欲が減退されるものであればよい。即ち、低下される車両３の機能は、車両３の運転を快適に行うための快適機能や、車両３の走行に関する機能である。従って、例えば、ヘッドライト、インジケータランプ、ルームランプ等の灯火類を点滅させたり、ホーンを鳴らしたりして車両３の機能を低下させてもよい。また、ウインドウガラスの開閉を繰り返したり、ワイパを駆動したりして車両３の機能を低下させてもよい。更に、ラジオのチューニングをわざと合わないようにして、スピーカ２６にて雑音を鳴らすことにより車両３の機能を低下させてもよい。
【００７８】
○上記実施形態では、セキュリティＥＣＵ１００は、車両３が盗難された可能性がある場合に、運転者にパスワードの入力を要求している。しかしながら、セキュリティＥＣＵ１００は、車両３が盗難された可能性がある場合に、運転者にパスワードの入力を要求することなく車両３が盗難されたと判断してもよい。
【００７９】
上記実施形態から把握できる技術的思想を以下に記載する。
（イ）請求項４又は請求項５の何れか１項に記載の車両盗難防止装置において、ディスプレイ及びスピーカの少なくとも一つから構成される警告手段を備え、前記判断手段は、前記車両を運転している運転者が前記車両の正規ユーザである場合には、前記警告手段に前記正規ユーザに対して安全運転を促す旨の警告を行わせることを特徴とする車両盗難防止装置。このように構成すると、正規ユーザが平常の運転状態と異なる癖で運転している場合に、正規ユーザに対して安全運転をするように促すことができる。よって、正規ユーザは、自身の運転状態が平常と異なることを意識し、安全運転を心がけることができる。
【図面の簡単な説明】
【００８０】
【図１】車両盗難防止装置の電気的構成を示すブロック図。
【符号の説明】
【００８１】
３…車両、４…車両盗難防止装置、３０…センサとしての癖検知部、６０…機能低下手段としての機能低下部、９０…記憶手段としての癖認識部、９１…記憶部としての癖認識エンジン、１００…癖検知手段、及び判断手段としてのセキュリティＥＣＵ。
【図１】
2006199192.tif 000003